(57)【要約】    【課題】  本考案は、ペットにとっても負担を要せずに形状を容易に変更でき、冷気などからもペットを確実に保護できるペット用ベッドの提供を目的とする。    【解決手段】  外周を包囲する柔軟で屈曲自在な外周壁部１１を備えたペット用ベッド１であって、上記外周壁部１１を筒状に形成するとともに、上記外周壁部１１の筒状形状を保持する可撓性を有した環状の保形部材１３，１４を、上記外周壁部１１に設けたペット用ベッド１。  【選択図】    図１
0003105469.tif 000002
【実用新案登録請求の範囲】
【請求項１】
外周を包囲する柔軟で屈曲自在な外周壁部を備えたペット用ベッドであって、
上記外周壁部を筒状に形成するとともに、上記外周壁部の筒状形状を保持する可撓性を有した環状の保形部材を、上記外周壁部に設けた
ペット用ベッド。
【請求項２】
上記保形部材を、上記外周壁部内に装入した
請求項１に記載のペット用ベッド。
【請求項３】
前記保形部材を、前記外周壁部の上端部に設けた
請求項１、又は請求項２に記載のペット用ベッド。
【請求項４】
前記保形部材を、前記外周壁部の上端部と、上記外周壁部の上下方向における中間部とに設けた
請求項１、又は請求項２に記載のペット用ベッド。
【請求項５】
前記外周壁部の下端部、又はその近傍に上記外周壁部の高さ方向の圧縮状態を保持する紐状体を具備した
請求項１から請求項４のいずれか一項に記載のペット用ベッド。
【請求項６】
前記外周壁部の下面を閉塞する底面部を設け、該底面部の下面を起毛状に形成するとともに、
上記底面部の下面に係合可能な面ファスナ部材を上記紐状体の先端側に設けた
請求項５に記載のペット用ベッド。
【考案の詳細な説明】
【技術分野】
【０００１】
この考案は、例えば、犬や猫などのペット用のベッドに関し、さらに詳しくは、周囲の環境に応じてその形状を適宜、変更してペットを快適な状態で保護することができるペット用ベッドに関する。
【背景技術】
【０００２】
ペットの小屋などとして用いることができる様々な愛玩動物用具とよばれる用具が存在する。例えば、下記特許文献で開示された愛玩動物用具が提案されている。  
上記愛玩動物用具の構成は、中空の直方体をした箱状に形成し、該箱状の愛玩動物用具を構成する複数の面材における一対の対向面にペットが出入りするための開口部を形成するとともに、上記複数の面材上に該面材自体を内側へと折り込み自在とする部位（稜線部、折り曲げ部）を複数、備えて構成している。
【０００３】
上記構成により、愛玩動物用具は、ペット用の小屋として用いる１つの箱形形状に限らず、上記面材における上記折り込み自在な部位を折り込むことで、該愛玩動物用具の内部に面材を押し込んでトイレ用の形状、ソファー用の形状へと変更して使用することができる。
【０００４】
しかし、上記愛玩動物用具は、変更する形状によっては、変更の際に労力がかかる。  
なぜなら、飼主は、いちいち開口部を覗くなどして内部にペットは勿論、ペット用のマットなどが存在がないか確認し、それらが存在すれば取り除く必要があるためである。
【０００５】
さらに、飼主が上記愛玩動物用具の形状を変更する度に、ペットを愛玩動物用具から移動させる必要があり、ペットにとっても負担がかかる。
【０００６】
その他、箱形の愛玩動物用具は、掃除の際には、内部を掃除するのは面倒であるが、掃除をしなければノミやダニなどの発生の原因となり衛生的でない。
【０００７】
【特許文献１】特開２００４−１０５０７３号公報
【考案の開示】
【考案が解決しようとする課題】
【０００８】
そこで、本考案は、ペットにとっても負担がかからず、所望の形状へと容易に変更可能で、冷気などからペットを確実に保護できるペット用ベッドの提供を目的とする。
【課題を解決するための手段】
【０００９】
本考案に係るペット用ベッドは、外周を包囲する柔軟で屈曲自在な外周壁部を備えたペット用ベッドであって、上記外周壁部を筒状に形成するとともに、上記外周壁部の筒状形状を保持する可撓性を有した環状の保形部材を、上記外周壁部に設けることを特徴とする。
【００１０】
上記保形部材は、上記外周壁部であればその内周側や外周側などのいずれの部位に設けることができるが、好ましくは上記外周壁部内に装入するとよい。
【００１１】
上記構成により、上記保形部材を上記外周壁部内に隠蔽できるため、ペット用ベッドの見栄えを確保することができる。  
また、上記保形部材を、上記外周壁部の上端部に設けることができる。
【００１２】
さらに好ましくは、上記ペット用ベッドは、上記保形部材を、上記外周壁部の上端部と、上記外周壁部の上下方向における中間部とに設けてもよい。
【００１３】
また、上記ペット用ベッドは、上記外周壁部の下端部、又はその近傍に上記外周壁部の高さ方向の圧縮状態を保持する紐状体を具備することができる。
【００１４】
具体的には、上記ペット用ベッドは、上記外周壁部の下面を閉塞する底面部を設け、該底面部の下面を起毛状に形成するとともに、上記底面部の下面に係合可能な面ファスナ部材を上記紐状体の先端側に設けるとよい。
【考案の効果】
【００１５】
この考案によれば、外周壁部を筒状に形成することで、冷気や風などからペットを保護することができる。  
さらに、外周壁部を柔軟で屈曲可能な筒状に形成することで、該外周壁部を折り返したり圧縮したりすることができる。このため、例えば、周囲の気温などに応じて、その高さを所望の高さに変更することや、ペット用ベッドを所望の形状に変更することができ、ペットを快適な状態に保つことができる。
【００１６】
しかも、ペット用ベッドの形状変更の際、ペットは、いちいちペット用ベッドから移動する必要がない。このように、ペットがペット用ベッドの上に乗ったままで容易にペット用ベッドの形状を変更できるため、ペットにとっても負担がかからない。
【００１７】
上記外周壁部が全体的に柔軟であっても、外周壁部には、上記保形部材を設けているため、ペット用ベッドは、その形状を維持することができる。  
しかも、保形部材は、可撓性を有するため、ペット用ベッドが変形後に安定した形状になるよう撓み変形し、ペット用ベッドを安定して設置することができる。
【００１８】
上記保形部材を外周壁部内に装入することで、保形部材が邪魔にならず、内部に隠蔽されるため、ペット用ベッド全体の見栄えも確保することができる。
【００１９】
また、外周壁部の上端部に保形部材を設けることで、外周壁部の上端部が部分的に弛んでしまうことがなく、上端部の形状を平らに保つことができ、全体の見栄えも確保することができる。
【００２０】
さらに、上記保形部材を上端部に設けることで、外周壁部を折り返すとき、該保形部材の一部位を折り返すことで上端部の全体が折り返すことができる。そして、そのまま保形部材の一部を把持して押し下げれば、全体を押し下げることができるため、外周壁部の高さを容易に変更することができる。
【００２１】
また、保形部材を、外周壁部の上端部に加えて、上下方向における中間部にも設けることで、外周壁部をその中間部が上端部となるまで折り返したとき、中間部に有していた保形部材の弾性力により、物理的に外周壁部を折り返す動作が規制される。  
このように保持部材が規制されることで、結果的に外周壁部を中間部の高さで一致させ易くなり、上述と同様に、ペット用ベッドの見栄えを確保できる。
【００２２】
また、上記紐状体を具備すれば、外周壁部を圧縮した状態で固定することができる。これにより、ペットは、自由にペット用ベッドの内側、或いはその外側への出入りが可能となる。  
しかも、圧縮していない部位を伸長して起立させれば、フード付きのペット用ベッドとして用いることができるため、風除けなどとしてペットを保護することができる。
【００２３】
さらに、上記底面部位を起毛状に形成し、上記上記紐状体の先端に上記面ファスナ部材を設けることで、底面部の任意の部位へ取り付けることができるため、外周壁部を任意の度合いで圧縮させることができる。
【考案を実施するための最良の形態】
【００２４】
この考案の一実施形態を、以下図面を用いて説明する。  
図１は、本実施形態に係るペット用ベッド１の上にペットＡの猫が乗っている様子を示す。
【００２５】
上記ペット用ベッド１は、大別すると、ペットＡの有する空間の外周を包囲する円筒状の外周壁部１１と、上記外周壁部１１の下端面を閉塞してペットＡがその上面に乗る底面部１２とで構成している。
【００２６】
上記図１に示したペット用ベッド１の構成を図２に示した形状におけるペット用ベッド１をもとに図２、図３、図４を用いて説明する。  
なお、図３は、後述する外周壁部１１、及びその下端部Ｄ近傍の断面図を示す。
【００２７】
上記外周壁部１１は、外周壁部１１が柔軟で屈曲自在とすべく、その内部には、綿を充填している。また、外周壁部１１の上端部Ｂ、及び、上下方向における略中間部Ｃには、それぞれ棒状の芯材１３，１４を円形状に湾曲変形させて装入し、外周壁部１１の筒状形状を保持している。
【００２８】
ここで、外周壁部１１における上端部Ｂに装入した側の上記芯材１３を第１芯材１３に設定し、中間部に装入した側の上記芯材１４を第２芯材１４に設定する。
【００２９】
上記いずれの芯材１３，１４も、外周壁部１１の一周分の長さを有するとともに、可撓性を有する棒状の発泡ウレタン部材で構成している。
【００３０】
また、上記外周壁部１１の内部に充填した上記綿、或いは、芯材１３，１４の移動を防止すべく、外周部沿いにかけて一体に外周壁部１１の被覆カバーを内外方向で縫着して、キルティング状にしている。
【００３１】
一方、上記底面部１２は、被覆カバー１２ｂの表面を起毛状に形成し、該被覆カバー１２ｂの内部に平面視楕円形をした板状の発泡ウレタンマットを充填して形成している。  
なお、上記ペット用ベッド１には、上記底面部１２の上面に、載置可能な円板状をしたクッション材１５を具備している（図４参照）。該クッション材１５の内部には、柔軟な綿を充填して構成している。
【００３２】
上記外周壁部１１の下端内周縁部と、上記底面部１２の外周縁部とを縫着により一体に結合している。
【００３３】
さらに、上記外周壁部１１と上記底面部１２との結合部分であって、そのうち前側部位１１ａには、２本の帯状の紐状体１７の一端をそれぞれ縫着している。紐状体１７は、ペットＡが出入りし易い幅を隔てた各側に縫着されている。上記紐状体１７の長さは、外周壁部１１における前側部位１１ａを圧縮した状態で包持可能な長さである。  
さらに、上記紐状体１７の先端側における、上記紐状体１７で外周壁部１１を包持したときに底面部１２の下面１２ａと重合する面には、該底面部１２材における上記起毛と係合可能な面ファスナ部材１７ａを縫着している。
【００３４】
上記ペット用ベッド１は、上述した構成で形成している。ペット用ベッド１が図２に示した形状であれば、外周壁部１１の高さが高いため、冷気や風を完全に遮断することができ、ペットＡを保護することができる。  
よって、上記図２に示した形状のペット用ベッド１は、冬の寒い時期に好適であり、夏であっても室内のエアコンの冷気などからペットＡを保護することができる。
【００３５】
さらに、上記ペット用ベッド１は、屋内で猫などのペットＡが騒がないように安全な場所に隔離したい場合などにおいて有効である。
【００３６】
本実施形態におけるペット用ベッド１は、上述のように構成するものとして、以下、ペット用ベッド１を上記図２に示した形状から様々な形状を経て図１の形状へと変更する手順についての説明する。
【００３７】
まず、飼主は、両手で外周壁部１１における上端部Ｂを把持し、該上端部Ｂを外側へ折り返す（図４参照）。このとき、上端部Ｂ内には、第１芯材１３を装入しているため、上端部Ｂ全体を第１芯材１３ごと一気に折り返すことができる。
【００３８】
さらに、飼主は、折り返した第１芯材１３を把持したまま、外周壁部１１の上下方向の中間部Ｃの第２芯材１４が外周壁部１１の上端部Ｂとなるまで第１芯材１３を押し下げる。このとき、押し下げた第１芯材１３は、外周壁部１１の下端部Ｄまで達する（図２における仮想線で示した外周壁部１１参照）。  
上述した手順を経ると、図５に示したようにペット用ベッド１の外周壁部１１を半分の高さに変更することができる。
【００３９】
上述したように、外周壁部１１の中間部Ｃに装入していた第２芯材１４が上端部Ｂに位置するまで折り返せば、第２芯材１４が外周壁部１１の上端部Ｂの形状が弛んだりすることがないようペット用ベッド１を見栄えのよい形状に保つことができる。
【００４０】
また、ペット用ベッド１は、上記形状でもそのまま使用することができるが、さらに図６に示したように、外周壁部１１の内側から紐状体１７を取り出して外側に取り回し、該外周壁部１１の対面側部を軽く圧縮した状態で外周壁部１１を包囲する。そして、その状態で、紐状体１７における面ファスナ部材１７ａを底面部１２の下面１２ａの起毛に係合すれば、ペット用ベッド１を図７に示した形状へと変更することができる。
【００４１】
上記ペット用ベッド１における外周壁部１１の高さは、前述したペット用ベッド１の半分の高さとなるため、上記ペット用ベッド１を部屋などに設置しても周囲の人に圧迫感を与えない。  
さらに、ペット用ベッド１は、上述したペット用ベッド１と比較して外周壁部１１の高さが半分の高さとなるが、図８に示したようにペットＡがペット用ベッド１の外側に出ることを充分、抑制することができる。
【００４２】
続いて、外周壁部１１の周方向における、上記紐状体１７で軽く包持した部位（前側部位１１ａ）をさらに強く圧縮し、その圧縮状態を維持すべく、改めて紐状体１７を底面部１２の下面１２ａに係合し直す。
【００４３】
そして、外周壁部１１の周方向における紐状体１７の有する前側部位１１ａと反対側の後側部位１１ｂを図９に示したように伸長させて起立させる。  
以上により、ペット用ベッド１は、図１０に示した形状へと変更することができる。
【００４４】
上記外周壁部１１には、芯材１３，１４を装入しているため、該芯材は外周壁部１１を起立した状態に保持することができ、ペット用ベッド１はその形状を維持することができる。さらに、芯材１３，１４は、上記紐状体１７により包持されるとともに、可撓性を有するため、適度に撓み変形し、ペット用ベッド１は安定した状態で設置される。
【００４５】
また、上記外周壁部１１における後側部位１１ｂは、ペット用ベッド１のフードとしての機能を果たし、風や冷気からもペットＡを保護することができる。
【００４６】
さらに、上記ペット用ベッド１を上述した形状とすれば、ペットＡは外周壁部１１の前側部位１１ａから、ペット用ベッド１に対して自由に出入りできる。
【００４７】
また、上記面ファスナ部材１７ａを起毛した底面部１２に係合させることにより行えば、外周壁部１１を任意の高さにまで圧縮させて、容易に固定できる。  
さらに、底面部１２の表面を起毛した構成とすることで、別途、上記面ファスナ部材１７ａと係合するための他方の面ファスナを底面部に添着する必要もない。
【００４８】
但し、外周壁部１１を圧縮した状態で保持するための手段として、上記面ファスナ部材１７ａに限定せず、例えば、スナップ、ホックなどを用いてもよく、また、紐状体１７は、２本に限定せず、１本或いは、３本以上設けてもよい。
【００４９】
上述の実施形態と、この考案の構成との対応において、この実施形態の第１芯材１３，及び／又は第２芯材１４は、この考案の保形部材に対応するも、
この考案は、上述の実施形態の構成のみに限定されるものではなく、多くの実施の形態を得ることができる。
【図面の簡単な説明】
【００５０】
【図１】ペット用ベッドの使用状態図。
【図２】ペット用ベッドの形状変更の過程を示す説明図。
【図３】外周壁部、及び該外周壁部の下端近傍の断面図。
【図４】ペット用ベッドの構成を示す説明図。
【図５】ペット用ベッドの一形状を示した外観図。
【図６】ペット用ベッドの形状変更の過程を示す説明図。
【図７】ペット用ベッドの一形状を示した外観図。
【図８】ペット用ベッドの使用状態図。
【図９】ペット用ベッドの形状変更の過程を示す説明図。
【図１０】ペット用ベッドの一形状を示した外観図。
【符号の説明】
【００５１】
１…ペット用ベッド
１１…外周壁部
１２…底面部
１３，１４…保持部材
１７…紐状体
１７ａ…面ファスナ部材
【図１】
0003105469.tif 000003
【図２】
0003105469.tif 000004
【図３】
0003105469.tif 000005
【図４】
0003105469.tif 000006
【図５】
0003105469.tif 000007
【図６】
0003105469.tif 000008
【図７】
0003105469.tif 000009
【図８】
0003105469.tif 000010
【図９】
0003105469.tif 000011
【図１０】
0003105469.tif 000012